【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
組織オキシメトリ装置用のセンサヘッドを備えるシステムであって、前記センサヘッドは、
第１の点および第２の点で円形配置の円に交差する線上の点に関して対称の前記円形配置において対称に配置される第１の複数の検出器構造と、
前記円形配置において前記線上の前記点に関して非対称に配置される第２の複数の検出器構造と、
前記円形配置の前記円の前記第１の点に位置決めされる第１の光源構造と、
前記円形配置の前記円の前記第２の点に位置決めされる第２の光源構造と、
前記第１の複数の検出器構造の前記円上の第１の検出器構造とを備え、
第１の距離は前記第１の検出器構造から前記第１の光源構造までであり、第２の距離は前記第１の検出器構造から前記第２の光源構造までであり、前記第１の距離は前記第２の距離よりも大きく、前記センサヘッドはさらに、
前記線上の前記点に関して前記第１の検出器構造に対して対称に配置される前記第１の複数の検出器構造の前記円上の第２の検出器構造を備え、
第３の距離は前記第２の検出器構造から前記第１の光源構造までであり、第４の距離は前記第２の検出器構造から前記第２の光源構造までであり、前記第４の距離は前記第３の距離よりも大きく、
前記第１の光源構造、第２の光源構造、第１の検出器構造、および第２の検出器構造は平行四辺形の頂点であり、前記第１の距離は前記第４の距離と同じであり、前記第２の距離は前記第３の距離と同じであり、前記センサヘッドはさらに、
前記線上の前記点に関して前記第１の複数の検出器構造に対して非対称に配置される前記第２の複数の検出器構造の前記円上の第３の検出器構造を備え、
第５の距離は前記第３の検出器構造から前記第１の光源構造までであり、第６の距離は前記第３の検出器構造から前記第２の光源構造までであり、前記第５の距離は前記第１の距離および前記第２の距離とは異なり、前記第６の距離は前記第１の距離および前記第２の距離とは異なり、前記センサヘッドはさらに、
前記線上の前記点に関して前記第１の複数の検出器構造および前記第３の検出器構造に対して非対称に配置される前記第２の複数の検出器構造の前記円上の第４の検出器構造を備え、
第７の距離は前記第４の検出器構造から前記第１の光源構造までであり、第８の距離は前記第４の検出器構造から前記第２の光源構造までであり、前記第７の距離は前記第１、第２、第５および第６の距離とは異なり、前記第８の距離は前記第１、第２、第５および第６の距離とは異なり、
前記第１の距離は前記第５、第６、第７および第８の距離よりも大きく、前記第２の距離は前記第５、第６、第７および第８の距離よりも小さく、第９の距離は前記第１の光源構造から前記第２の光源構造までであり、前記第９の距離は前記第１、第２、第５、第６、第７および第８の距離よりも大きく、前記センサヘッドはさらに、
非対称に配置される前記第２の複数の検出器構造からではなく、対称に配置される前記第１の複数の検出器構造から収集された情報を用いて、前記第１の光源構造と前記第２の光源構造との光源出力の差に起因するオフセットを求めるように適合される処理モジュールを備える、システム。
【請求項２】
前記処理モジュールは、非対称に配置される前記第２の複数の検出器構造から収集された情報に基づいて酸素飽和値を算出し、前記第１の光源構造と前記第２の光源構造との光源出力の差に起因する前記オフセットを補償することを備える、請求項１に記載のシステム。
【請求項３】
前記割線は前記円の二等分線である、請求項１に記載のシステム。
【請求項４】
前記第１の検出器構造は、前記第１および第２の複数の検出器構造におけるすべての他の検出器構造と比べて前記第２の光源構造に最も近く、
前記第２の検出器構造は、前記第１および第２の複数の検出器構造における前記他の検出器構造と比べて前記第１の光源構造に最も近い、請求項３に記載のシステム。
【請求項５】
前記線は前記第１の検出器構造と前記第３の検出器構造との間を通過し、
前記複数の検出器構造に含まれる検出器構造のうち、前記第１の光源構造を囲んでいる前記第１の検出器構造と前記第３の検出器構造との間に位置決めされている検出器構造はなく、
前記線は前記第３の検出器構造よりも前記第１の検出器構造に近い、請求項３に記載のシステム。
【請求項６】
前記線は前記第２の検出器構造と前記第４の検出器構造との間を通過し、
前記複数の検出器構造に含まれる検出器構造のうち、前記第２の光源構造を囲んでいる前記第２の検出器構造と前記第４の検出器構造との間に位置決めされている検出器構造はなく、
前記線は前記第４の検出器構造よりも前記第２の検出器構造に近い、請求項５に記載のシステム。
【請求項７】
前記線は、前記円上の前記検出器構造の位置を通過しない、請求項３に記載のシステム。
【請求項８】
前記第９の距離は前記円の直径である、請求項１に記載のシステム。
【請求項９】
前記第１の距離は約４ミリメートル以下である、請求項１に記載のシステム。
【請求項１０】
前記センサヘッドは、前記第１の光源構造と前記第２の光源構造との中間の前記線上に位置決めされる第３の光源構造を備え、
前記第３の光源構造は、対称に配置される前記第１の複数の検出器構造における各検出器構造および非対称に配置される前記第２の複数の検出器構造における各検出器構造から等距離である、請求項１に記載のシステム。
【請求項１１】
前記第１の光源構造および前記第２の光源構造は、二点で前記円形配置の前記円に交差する前記線上に直線状に配置される、請求項１に記載のシステム。
【請求項１２】
前記線は前記第１の検出器構造と前記第３の検出器構造との間を通過し、
前記複数の検出器構造に含まれる検出器構造のうち、前記第１の光源構造を囲んでいる前記第１の検出器構造と前記第３の検出器構造との間に位置決めされている検出器構造はなく、
前記線は前記第３の検出器構造よりも前記第１の検出器構造に近い、請求項１１に記載のシステム。
【請求項１３】
前記線は前記第２の検出器構造と前記第４の検出器構造との間を通過し、
前記複数の検出器構造に含まれる検出器構造のうち、前記第２の光源構造を囲んでいる前記第２の検出器構造と前記第４の検出器構造との間に位置決めされている検出器構造はなく、
前記線は前記第４の検出器構造よりも前記第２の検出器構造に近い、請求項１２に記載のシステム。
【請求項１４】
前記線は、前記円上の前記検出器構造の位置を通過しない、請求項１１に記載のシステム。
【請求項１５】
前記第２の距離は約１．５ミリメートル以下であり、前記第５、第６、第７および第８の距離は約２．５ミリメートル以上である、請求項１に記載のシステム。
【請求項１６】
組織オキシメトリ装置用のセンサヘッドを備えるシステムであって、前記センサヘッドは、
円形配置に位置決めされる一組の検出器と、
前記円形配置の円の二等分線上に直線状に位置決めされる第１および第２の光源とを備え、
前記一組の検出器に含まれる第１の検出器は、前記第１の光源から第１の距離であり、
前記一組の検出器に含まれる第２の検出器は、前記第２の光源から第２の距離であり、
前記一組の検出器に含まれる第３の検出器は、前記第１の光源から第３の距離であり、
前記一組の検出器に含まれる検出器のうち、前記第１の光源を囲んでいる前記第１の検出器と前記第３の検出器との間に位置決めされている検出器はなく、
前記線は前記第１の検出器と前記第３の検出器との間を通過し、前記第３の検出器よりも前記第１の検出器に近く、
前記第１の距離および前記第２の距離は等しく、
前記第１の距離および前記第３の距離は等しくなく、
前記二等分線上に検出器は位置決めされておらず、前記センサヘッドはさらに、
前記第３の検出器からではなく、前記第１および前記第２の検出器から収集された情報を用いて、前記第１の光源と前記第２の光源との光源出力の差に起因するオフセットを求めるように適合される処理モジュールを備える、システム。
【請求項１７】
前記第１の検出器は、前記一組の検出器におけるすべての他の検出器と比べて前記第１の光源に最も近く、
前記第２の検出器は、前記一組の検出器における前記他の検出器と比べて前記第２の光源に最も近い、請求項１６に記載のシステム。
【請求項１８】
前記第１の検出器は、前記一組の検出器における前記他の検出器と比べて前記第２の光源から最も遠く、前記第２の光源から第３の距離であり、
前記第２の検出器は、前記一組の検出器における前記すべての他の検出器と比べて前記第１の光源から最も遠く、前記第１の光源から第４の距離であり、
前記第３の距離および前記第４の距離は等しい、請求項１７に記載のシステム。
【請求項１９】
前記一組の検出器におけるすべての検出器に対する前記第１の光源および前記第２の光源の光源−検出器距離は、前記第１の検出器構造と前記第２の光源構造との間で、前記第１および前記第２の距離を除いて、かつ前記第４の距離および第５の距離を除いて一意である、請求項１８に記載のシステム。
【請求項２０】
前記光源−検出器距離は１４個の一意の距離を含む、請求項１９に記載のシステム。
【請求項２１】
前記センサヘッドは、前記第１の光源と前記第２の光源との中間の前記二等分線上に位置決めされる第３の光源を備える、請求項１６に記載のシステム。
【請求項２２】
前記第３の光源は、前記一組の検出器におけるすべての検出器から等距離である、請求項２１に記載のシステム。
【請求項２３】
前記一組の検出器は８個の検出器を含む、請求項１６に記載のシステム。
【請求項２４】
前記第１の検出器は、前記一組の検出器におけるすべての他の検出器と比べて前記第１の光源に次に最も近く、
前記第２の検出器は、前記一組の検出器における前記他の検出器と比べて前記第２の光源に次に最も近い、請求項１６に記載のシステム。
【請求項２５】
前記一組の検出器は、前記第２の検出器に隣接した第４の検出器を備え、
前記一組の検出器に含まれる検出器のうち、前記第２の光源を囲んでいる前記第２の検出器と前記第４の検出器との間に位置決めされている検出器はなく、
前記線は前記第２の検出器と前記第４の検出器との間を通過し、前記第４の検出器よりも前記第２の検出器に近い、請求項１６に記載のシステム。
【請求項２６】
前記第１および第２の光源は、前記円形配置の前記円上に位置決めされる、請求項１６に記載のシステム。
【請求項２７】
組織オキシメトリ装置用のセンサヘッドを備えるシステムであって、前記センサヘッドは、
円形配置に位置決めされる一組の検出器と、
前記円形配置の円に交差する割線上に直線状に位置決めされる第１および第２の光源とを備え、
前記一組の検出器に含まれる第１の検出器は、前記第１の光源から第１の距離であり、
前記一組の検出器に含まれる第２の検出器は、前記第２の光源から第２の距離であり、
前記一組の検出器に含まれる第３の検出器は、前記第１の光源から第３の距離であり、
前記一組の検出器に含まれる検出器のうち、前記第１の光源を囲んでいる前記第１の検出器と前記第３の検出器との間に位置決めされている検出器はなく、
前記割線は前記第１の検出器と前記第３の検出器との間を通過し、前記第３の検出器よりも前記第１の検出器に近く、
前記第１の距離および前記第２の距離は等しくなく、
前記第１の距離および前記第３の距離は等しくなく、
前記割線上に検出器は位置決めされておらず、前記センサヘッドはさらに、
前記第３の検出器からではなく、前記第１および前記第２の検出器から収集された情報を用いて、前記第１の光源と前記第２の光源との光源出力の差に起因するオフセットを求めるように適合される処理モジュールを備える、システム。
【請求項２８】
前記一組の検出器は、前記第２の検出器に隣接した第４の検出器を備え、
前記一組の検出器に含まれる検出器のうち、前記第２の光源を囲んでいる前記第２の検出器と前記第４の検出器との間に位置決めされている検出器はなく、
前記割線は前記第２の検出器と前記第４の検出器との間を通過し、前記第４の検出器よりも前記第２の検出器に近い、請求項２７に記載のシステム。
【請求項２９】
前記第１の検出器は、前記一組の検出器におけるすべての他の検出器と比べて前記第１の光源に最も近く、
前記第２の検出器は、前記一組の検出器における前記他の検出器と比べて前記第２の光源に最も近い、請求項２７に記載のシステム。
【請求項３０】
前記第１の検出器は、前記一組の検出器における前記他の検出器と比べて前記第２の光源から最も遠く、前記第２の光源から第４の距離であり、
前記第２の検出器は、前記一組の検出器における前記他の検出器と比べて前記第１の光源から最も遠く、前記第１の光源から第５の距離であり、
前記第４の距離および前記第５の距離は等しい、請求項２９に記載のシステム。
【請求項３１】
前記一組の検出器におけるすべての検出器に対する前記第１の光源および前記第２の光源の光源−検出器距離は、前記第１および前記第２の距離を除いて、かつ前記第４および前記第５の距離を除いて一意である、請求項３０に記載のシステム。
【請求項３２】
前記センサヘッドは、前記第１の光源と前記第２の光源との中間の前記割線上に位置決めされる第３の光源を備える、請求項２７に記載のシステム。
【請求項３３】
前記第３の光源は、前記一組の検出器におけるすべての検出器から等距離である、請求項３２に記載のシステム。
【請求項３４】
前記一組の検出器は８個の検出器を備える、請求項２７に記載のシステム。
【請求項３５】
前記光源−検出器距離は１４個の一意の距離を含む、請求項３４に記載のシステム。
【請求項３６】
前記第１の検出器は、前記一組の検出器におけるすべての他の検出器と比べて前記第１の光源に最も近く、
前記第２の検出器は、前記一組の検出器における前記すべての他の検出器と比べて前記第２の光源に最も近い、請求項２７に記載のシステム。
【請求項３７】
前記一組の検出器は、前記第１の光源から第４の距離に位置決めされる第３の検出器を備え、
前記一組の検出器は、前記第２の光源から第４の距離に位置決めされる第５の検出器を備え、
前記第４の距離および前記第５の距離は等しい、請求項２７に記載のシステム。
【請求項３８】
前記第１および第２の光源は、前記円形配置の前記円上に位置決めされる、請求項２７に記載のシステム。
【請求項３９】
前記第３の検出器および前記第４の検出器は、前記第１の光源および前記第２の光源の少なくとも一方から約２．５ミリメートル以上離れて位置決めされ、
前記第１の検出器および前記第２の検出器は、前記第１の光源および前記第２の光源の少なくとも一方から約１．５ミリメートル以下に位置決めされる、請求項２７に記載のシステム。
【手続補正２】
【補正対象書類名】明細書
【補正対象項目名】００３７
【補正方法】変更
【補正の内容】
【００３７】
一組の検出器１２５は、４つ以上の検出器を含み得る。具体的な実施形態によると、一組の検出器１２５は、図示されるように８個の検出器１２５ａ、１２５ｂ、１２５ｃ、１２５ｄ、１２５ｅ、１２５ｆ、１２５ｇおよび１２５ｈを含む。検出器１２５は固体検出器であり、ＰＣＢ（図２Ａ〜図２Ｃには図示せず）に装着され得る。さらに、検出器１２５は組合わされた装置であってもよいし、または別々の装置であってもよい。プロセッサ１１６は、ＰＣＢの中を通る一組の電気トレースを介して光源１２０および検出器１２５を制御するように構成される。検出器１２５の円形構成および光源１２０の直線配置によって、電気トレースの比較的単純な配置が可能になる。たとえば、電気トレースは、電気トレース同士がＰＣＢ内で重ならないように光源１２０および検出器１２５から外向きに放射状に延在し得、これによって電気トレース同士の間の比較的均一な間隔が可能になり、それによって、電気トレース同士の間の比較的低い電気クロストークがもたらされる。状況によっては、電気トレース同士の間の比較的低い電気クロストークによって、交互に配置される電気トレースと比較して、光源１２０および検出器１２５の両方の信号対雑音比が低下する。
【手続補正３】
【補正対象書類名】明細書
【補正対象項目名】００５３
【補正方法】変更
【補正の内容】
【００５３】
外側光源１２０ａおよび１２０ｃは、後方ＰＣＢ５００上に位置する１つ以上のＬＥＤまたはレーザダイオード１３０（たとえば３つのＬＥＤ）を含む。各外側光源が３つのＬＥＤを含む実施形態によると、ＬＥＤは約７６０ナノメートル、８１０ナノメートルおよび８５０ナノメートルの波長を発し得る。検出器１２５は前方ＰＣＢ５０５上に位置する。ＰＣＢ５００および５０５は、制御信号を外側光源および検出器にルーティングするための電気トレースを含み得る。
【手続補正４】
【補正対象書類名】明細書
【補正対象項目名】００６９
【補正方法】変更
【補正の内容】
【００６９】
上述のように、最短の光源−検出器距離Ｄ２およびＤ３は２つの外側光源１２０ａおよび１２０ｃについて意図的に一致させられ、最長の光源−検出器距離Ｄ４およびＤ５も当該２つの外側光源について意図的に一致させられる。最短の光源−検出器距離が一致しているため、ステップ９００において外側光源１２０ａが所与の波長の光を組織内に発し、ステップ９０５において検出器１２５ｅが組織から反射されるこの光を検出し、ステップ９１０において外側光源１２０ｃが光を組織内に発し、ステップ９１５において検出器１２５ａが組織から反射されるこの光を検出すると、それぞれステップ９２０および９２５において検出器１２５ａおよび１２５ｅによって生成される反射データは実質的に一致すべきである。すなわち、検出器１２５ａおよび１２５ｅによって検出される光の量は実質的に一致すべきである。